(57)【要約】【課題】ホイールリムのスポークに、好みに応じた色彩で簡易に装飾を施すことができる、スポークに対する着脱が容易な自転車用ホイールリムのスポーク装飾具を提供する。【解決手段】自転車用ホイールリムのスポークに取付けるものであって、全長にわたって延びるスリット２を有する彩色筒状部材３からなって、スポークの周りに嵌め合わされるものである。【選択図】図１
2008037336.tif 000002
【特許請求の範囲】
【請求項１】
自転車用ホイールリムのスポークに取付ける装飾具であって、
全長にわたって延びるスリットを有する彩色筒状部材からなって、スポークの周りに嵌め合わされる自転車用ホイールリムのスポーク装飾具。
【請求項２】
自転車用ホイールリムの各側部で、円周方向に隣接して位置する二本のスポークの相互の交差位置より半径方向外側部分でスポークの周りに嵌め合わされる請求項１に記載の自転車用ホイールリムのスポーク装飾具。
【請求項３】
プラスチック材料もしくはゴム材料にて構成してなる請求項１もしくは２に記載の自転車用ホイールリムのスポーク装飾具。
【請求項４】
透光性材料にて構成してなる請求項１〜３のいずれかに記載の自転車用ホイールリムのスポーク装飾具。
【請求項５】
内径をスポークの外径より小さくしてなる請求項１〜４のいずれかに記載の自転車用ホイールリムのスポーク装飾具。
【請求項６】
光反射機能を付与してなる請求項１〜５のいずれかに記載の自転車用ホイールリムのスポーク装飾具。
【請求項７】
自転車用ホイールリムのスポークの周りに嵌め合わせて装着される、全長にわたって延びるスリットを有する筒状部材からなる、自転車用ホイールリムのスポーク装飾具の取付けジグであって、
前記スリットを経て筒状部材の内側に入り込む折返し部を設けるとともに、その折返し部に連続する二葉の把持部を設け、筒状部材の内側に入り込ませた折返し部の内側への前記スポークの押込みを可能としてなる取付けジグ。
【請求項８】
プラスチックストリップにより構成してなる請求項７に記載の取付けジグ。
【請求項９】
筒状部材の内側への入り込み部分の幅を５〜３０ｍｍの範囲としてなる請求項７もしくは８に記載の取付けジグ。
【請求項１０】
取付けジグの折返し部を、筒状部材の一端で、その筒状部材の全長にわたって設けたスリットを経てそれの内側へ入れ込んだ状態で、取付けジグの折返し部を筒状部材とともにスポークに押圧して、その押圧部分でスポークを、筒状部材内部の前記折返し部内に入り込ませ、次いで、取付けジグの折返し部を、筒状部材のスリットに沿わせてそれの他端側へ移動させながら、筒状部材の押圧位置を折返し部の移動に応じて変位させて、スポークを、筒状部材内へ順次収納し、その折返し部を、筒状部材の他端もしくは、それを越える位置まで移動させて、筒状部材内にその全長にわたってスポークを収納した後、取付けジグの折返し部に連続する二葉の把持部の一方を引張って、取付けジグをスポークの周りから取り外す、自転車用ホイールリムのスポーク装飾具の取付け方法。
【請求項１１】
取付けジグの折返し部の、筒状部材の内側への入れ込みに当り、その折返し部の先端隅部の、筒状部材の端部内への差込み状態で、折返し部と筒状部材との相対回動によってその先端隅部を、筒状部材のスリット内に入り込ませ、次いで、取付けジグを、そのスリットに沿わせて筒状部材の中央部側へ移動させる請求項１０に記載の自転車用ホイールリムのスポーク装飾具の取付け方法。
【請求項１２】
取付けジグの、筒状部材のスリットに沿う移動を、取付けジグの折返し部に連続して、スリットから筒状部材の外側へ突出する二葉の把持部を把持して行う請求項１０もしくは１１に記載の自転車用ホイールリムのスポーク装飾具の取付け方法。
【発明の詳細な説明】
【技術分野】
【０００１】
この発明は、自転車、なかでも二輪車用のホイールリムのスポーク装飾具、それの取付けジグおよび、それの取付け方法に関するものであり、とくには、自転車のスポークに、自転車の使用者の好みに応じた適宜の色彩で、簡易に装飾を施すことができる技術を提案するものである。
【背景技術】
【０００２】
近年、自転車の車体には、各種の彩色、模様等によって装飾が施されるに到っている一方で、自転車用ホイール、なかでもホイールリムは、多くの場合、従来通りの金属めっ金が施されたまま、または、素材それ自体の色彩のまま等とされているにすぎない状況にある。
【発明の開示】
【発明が解決しようとする課題】
【０００３】
これがため現実には、車体の装飾性に比してホイールリムの装飾性の低さが否めない状態にある。
そこで最近は、ホイールリムに好みの彩色等を施してホイールリムの装飾性を高めることで、ホイールリムの装飾性を、車体の装飾性にバランスさせたいとの要求が出されている。
【０００４】
この発明は、このような要求を満たすことを課題としてなされたものであり、それの目的とするところは、ホイールリムのスポークに、好みに応じた色彩で簡易に装飾を施すことができる、スポークに対する着脱が容易な自転車用ホイールリムのスポーク装飾具、それの取付けジグおよび取付け方法を提供するにある。
【課題を解決するための手段】
【０００５】
この発明に係る、自転車用ホイールリムのスポーク装飾具は、自転車用ホイールリムのスポークに取付けるものであって、全長にわたって直線状もしくは曲線状に延びるスリットを有する彩色筒状部材からなって、スポークの周りに嵌め合わされるものであり、好ましくはそのスポークに、少なくとも、弾性係合および摩擦係合の少なくとも一方で、遠心力に負けない程度の力で係合するものである。
【０００６】
ここで好ましくは、このスポーク装飾具を、自転車用ホイールリムの各側部で、円周方向に隣接して位置する二本のスポークの相互の交差位置より半径方向外側部分で、スポークの周りに、たとえばそれの全長にわたって嵌め合わされるものとする。
【０００７】
かかる装飾具は、プラスチック材料もしくはゴム材料で構成すること、なかでも、質量が小さく、腰の強い弾性材料にて構成することが好ましい。
【０００８】
また、この装飾具は、透光性の材料にて構成することが好ましく、それの内径は、スポークの外径より小さくすることが好ましい。
【０００９】
なお、装飾具は、光反射部材を塗布し、または練り込むことによって光反射機能を付与したものとすることもできる。
【００１０】
この発明に係る、スポーク装飾具の取付けジグは、全長にわたって延びるスリットを有する筒状部材からなり、自転車用ホイールリムのスポークの周りに嵌め合わせて装着される、自転車用ホイールリムのスポーク装飾具の装飾を司るものであって、前記スリットを経て筒状部材の内側に入り込む折返し部を設けるとともに、その折返し部に連続する二葉の把持部を設け、そして、筒状部材の内側に入り込ませた折返し部の可撓性の下で、それの内側への前記スポークの押込みを可能とする、たとえば、布、プラスチック材料等からなるものである。
【００１１】
この取付けジグはプラスチックストリップ、たとえば、スポークおよび筒状部材のそれぞれに対する摩擦力の小さい、十分な硬さ、いいかえれば腰の強さを有するプラスチックストリップによって構成することが好ましい。
【００１２】
また、取付けジグの、筒状部材の内側への入り込み部分、いいかえれば、筒状部材と接触するそれの折返し部分の幅を５〜３０ｍｍの範囲内とすることが好ましい。
【００１３】
この発明に係る、自転車用ホイールリムのスポーク装飾具の取付け方法は、取付けジグの折返し部を、筒状部材の一端で、その筒状部材の全長にわたって設けた、好ましくは直線状のスリットを経てそれの内側へ入れ込んだ状態で、取付けジグの折返し部を筒状部材とともにスポークに押圧して、その押圧部分でスポークを、筒状部材内部の前記折返し部内に入り込ませ、次いで、取付けジグの折返し部を、筒状部材のスリットに沿わせてそれの他端側へ移動させながら、筒状部材の押圧位置を折返し部の移動に応じて変位させて、スポークを、筒状部材内へ順次に収納し、その折返し部を、筒状部材の他端、もしくは、それを越える位置まで移動させて、筒状部材内に、その全長にわたってスポークを収納した後、取付けジグの折返し部に連続する二葉の把持部のいずれか一方を引張って、取付けジグをスポークの周りから取り外すにある。
【００１４】
ここで、取付けジグの折返し部の、筒状部材の内側への入れ込みは、はじめに、その折返し部の先端隅部を、筒状部材の端部内へ差込んだ状態で、折返し部と筒状部材との相対回動によってその先端隅部を、筒状部材のスリット内へ入り込ませ、次いで、取付けジグを、そのスリットに沿わせて筒状部材の中央部側へ移動させることにより行うことが好ましい。
【００１５】
ところで、取付けジグの、筒状部材のスリットに沿う移動は、取付けジグの折返し部に連続して、スリットから筒状部材の外側へ突出する二葉の把持部を把持しながら行うことが好ましい。
【発明の効果】
【００１６】
この発明に係る装飾具によれば、全長にわたって延びるスリットを有する、たとえばプラスチック製の、色分け模様をも含む、所要の彩色を施した筒状部材を、スリットを介してスポークの周りに嵌め合わせることで、ホイールリム、直接的にはそれのスポークの装飾性を大きく高めて、その装飾性を、車体のそれと十分にバランスさせることができる。
【００１７】
ここで、筒状部材、ひいては、装飾具を、それ自身に作用する遠心力に打ち勝つ程度の弾性係合力および／または摩擦係合力をもってスポークの周りに係合させた場合には、スポークに取付けた装飾具の、半径方向の内外側への不要な移動を有効に拘束することができ、また、装飾具が、とくには半径方向の外方へ変位されることに起因する、その装飾具の、スポークからの不測の脱落のおそれを十分に取り除くことができる。
【００１８】
この場合、スポーク装飾具を、ホイールリムの各側部で、隣接して位置する二本のスポークの相互の交差位置より半径方向外側部分で、スポークの周りに嵌め合わされるものとしたときは、ホイールリムの装飾領域を広く確保して、装飾性を一層高めることができる。
【００１９】
そしてこのことは、装飾具を、スポークの交差位置より半径方向外側に延在するスポーク部分の全長にわたって嵌め合わされるものとしたときにより効果的である。しかもこのことによれば、筒状部材がスポークの周りに、弾性係合、摩擦係合等すると否とにかかわらず、装飾具の、不要な半径方向移動を十分に阻止することができる。
【００２０】
ここにおいて、装飾具を、ポリエチレン、ポリプロピレン、ポリエチレンテレンタレート等のプラスチック材料またはゴム材料にて構成したときは、装飾具に、所要の弾性係合力または摩擦係合力を容易に付与することができる。ところで、このような所要の係合力は、装飾具の質量を小さくして、そこに作用する遠心力を小さくすることで、十分小さい値とすることができる。
【００２１】
なお、装飾具の所要の弾性係合力または摩擦係合力は、装飾具を、延伸プラスチック材料等の腰の強い、いいかえれば、定形性の高い材料によって構成することで簡単に、かつ容易に実現することができる。
【００２２】
ところで、ここでいう「弾性係合力」は、筒状部材が元の形状に復帰しようとする弾性復元力によって発生させることができ、「摩擦係合力」は、多くは、筒状部材の、スポークに対する粘性と、上記弾性復元力とによって発生させることができる。
ここで、この弾性復元力は、定形性の高い弾性材料からなる装飾具の内径を、スポークの外径より小さくすることで確実に発生させることができる。
【００２３】
かかる装飾具を、透光性の材料にて構成したときは、筒状部材に施した彩色と、スポークの地色との複合色をもってスポークを装飾することができ、また、それに光反射機能を付与したときは、夜間等においても装飾機能を有効に発揮させることができる他、特別のリフレクターの装着なしに、夜間等での安全性を確保することもできる。
【００２４】
また、この発明に係る、スポーク装飾具の取付けジグでは、スリットを経て筒状部材の内側に入り込む折返し部に連続させて設けた二葉の把持部間を経て、スポークを、筒状部材および折返し部の変形下で、その折返し部の内側へ押込むことで、スポークを、筒状部材の狭幅のスリットを介して、それの内側へ、簡易に、かつ常に円滑に収納することができる。
【００２５】
この取付けジグを、たとえば、スポークおよび筒状部材のそれぞれに対する摩擦力の小さい、十分な腰の強さを有するプラスチックストリップにより構成したときは、その取付けジグを、筒状部材の、好ましくは直線状に延びるスリットに沿わせて後述するように移動させるに当り、その移動を、小さな力の作用下で円滑に行わせることができ、この結果として、スポークの、筒状部材内への確実なる収納が十分円滑に行われることになる。
【００２６】
なおここで、取付けジグの、筒状部材の内側への入り込み部分の幅を５〜３０ｍｍの範囲内としたときは、取付けジグを、筒状部材のスリットに沿わせて移動させる場合の、それの、スポークおよび筒状部材のそれぞれに対する摩擦力を小さく抑制しつつ、その取付けジグの本来的な作用に基づく、スポークの、筒状部材内への収納ガイド機能を十分に発揮させることができる。
【００２７】
いいかえれば、その幅が５ｍｍ未満では、取付けジグの、収納ガイド機能を発揮できる範囲が狭くなりすぎることにより、取付けジグがスポークに及ぼす拘束域が狭くなって、スポークの、筒状部材内への円滑なる収納が妨げられるおそれが高くなる一方、それが３０ｍｍを越えると、摩擦抵抗の増加により、取付けジグの円滑なる移動が妨げられるおそれが高くなる。
【００２８】
そして、この発明に係る、スポーク装飾具の取付け方法では、筒状部材の一端で、スリットを介してそれの内側へ折返し部を入れ込んだ取付けジグを、それの折返し部および筒状部材をスポークに押圧しながら、スリットに沿わせて筒状部材の他端側へ移動させることによって、そのスポークを筒状部材内へ、円滑かつ確実に順次収納することができる。
【００２９】
この場合、筒状部材のスリットは、曲線状に延在するものであっても良いことはもちろんであるが、スリットの形成の容易さ、取付けジグの移動の円滑さ等を考慮したときは、そのスリットは直線上に延在するものであることが好ましい。
【００３０】
そして、取付けジグのスリットに沿う移動を、筒状部材の他端まで行い、そこで、取付けジグの二葉の把持部の一方を引張って、その取付けジグを、スポークと筒状部材との間から抜き取るときは、筒状部材の長さを、スポークの所要装飾部分の全長にわたる長さに選択した場合にあっても、装飾具を、そのスポーク部分に所期した通りに適正に取付けることができる。
【００３１】
この一方で、筒状部材の長さを、スポークの所要装飾部分の全長より短く選択したときは、取付けジグの折返し部を、たとえば、筒状部材の他端を越える位置まで移動させて後、二葉の把持部の一方を引張って、取付けジグをそのスポークから取り外すことで、装飾具の適正なる取付けを行うことができる。
【００３２】
ところで、装飾具の、スポークへの取付けの開始に先だつ、取付けジグの折返し部の、筒状部材の内側への入れ込みに当っては、その折返し部の先端隅部を筒状部材の端部内に差し込んで、その先端隅部を筒状部材の端縁に当接させた状態で、折返し部と筒状部材とを相対回動させて、折返し部の先端隅部を筒状部材の狭幅のスリット内へ入り込ませ、続いて、取付けジグを、そのスリットに沿わせて筒状部材の中央部側へ移動させることにより、狭幅のスリットを設けた筒状部材への取付けジグのセットを、簡易にかつ迅速に行うことができる。
【００３３】
そして、筒状部材にセットした取付けジグの、スリットに沿う移動を、取付けジグの折返し部に連続して、スリットから筒状部材の外側へ突出する二葉の把持部を把持して行わせる場合は、その移動を、十分安定した姿勢で円滑に行わせることができる。
【発明を実施するための最良の形態】
【００３４】
図１は、この発明に係るスポーク装飾具の実施形態を示す拡大斜視図であり、図２は、そのスポーク装飾具にセットして使用に供する取付けジグの実施形態を示す斜視図である。
【００３５】
図１に示すスポーク装飾具１は、ポリエチレン、ポリプロピレン、ポリエチレンテンフタレート、塩化ビニル樹脂、エポキシ樹脂等のプラスチック材料またはゴム材料にて構成されて、全長にわたって、直線上もしくは曲線状、図では直線上に延びる、開口幅をほとんど有しない狭幅のスリット２を有し、色分け模様とすることもできる彩色を施した、たとえば、内径が１．５〜２．５φの範囲の筒状部材３からなる。
【００３６】
ここで、軽量にして定形成にすぐれ、また、高い弾性復元力を有することが好ましいこのスポーク装飾具１は、透光性の材料にて構成することもできる他、光反射機能をもたせることもできる。
【００３７】
そして図２に誇張して示す取付けジグ４は、たとえば、プラスチックストリップの折返し構造体からなり、好ましくは、すぐれた定形性ないしは腰の強さと、筒状部材３および、後述するスポークに対する小さな摩擦力とを有するこの取付けジグ４は、前記スリット２を介して筒状部材３の内側に入り込む、ほぼＶ字状の折返し部５と、この折返し部５に連続して、スリット２から、筒状部材３の外側へ突出する二葉の把持部６とを具えてなり、この取付けジグ４は、筒状部材３の内側に入り込ませたその折返し部５の内側へのスポークの押込みを、筒状部材３のスリット２の開放方向への、好ましくは弾性変形を伴う、折返し部それ自身の変形をもって許容するべく機能する。
【００３８】
ところで、このような取付けジグ４の、筒状部材３の内側に入れ込まれる折返し部５の幅Ｗは５〜３０ｍｍの範囲とすることが好ましい。
【００３９】
図３は、以上のようなスポーク装飾具を適用し得る自転車なかでも二輪車を示すものであり、その装飾具は、自転車７の前後輪の、少なくとも一方のホイールリム８の、たとえば、直径が２．０〜２．５φの各個のスポーク９に、または、円周方向に一本もしくは複数本おきに位置するそれぞれのスポーク９に装着することができる。
【００４０】
ここで、スポーク９に対する装飾具１の装着域は、図４（ａ）,（ｂ）に、半径方向断面図および側面図で示すような一般的な構造を有するホイールリム８において、各側部で円周方向に隣接して位置する二本のスポーク９の相互の交差位置Ｃより半径方向外側部分とすることが、装飾具１の着脱を容易にするとともに、すぐれた装飾機能を発揮させる上で好ましい。
【００４１】
従ってこの場合は、スポーク装飾具１、より直接的には筒状部材３の長さを、スポーク９の、上記交差位置Ｃからリム１０までの長さＬ以下に選択することで、その装飾具１をスポーク９の周りに嵌め合わせて、それに、所要の装飾機能を発揮させることができる。
【００４２】
なお、スポーク装飾具１を、スポーク９の周りに、筒状部材３のスリット２を介して嵌め合わせた場合において、それの長さが、スポーク９の所要の装飾域長さＬと丁度対応するものであるときは、筒状部材３のスリット２の開口幅が、スポーク９の外径よりもはるかに狭く設定されていて、その開口幅の下では、スポーク装飾具１の、スポーク９からの脱落のおそれがないことを前提として、スポーク装飾具１がスポーク９の周りにたとえ遊嵌されていても、装飾具１の、遠心力による半径方向の移動が、スポーク９の前述した交差位置Ｃとリム１０とによって十分に阻止されるので、スポーク９に嵌め合わせた装飾具１のスリット２の、不測の開放変形に起因する、スポーク９からの、装飾具１の脱落が生じることはない。
【００４３】
この一方で、筒状部材３の長さが、前述した、所要の装飾域長さＬより短い場合にあって、装飾具１が、遠心力の作用によってリム１０に衝突したり、また、遠心力の消滅によってスポーク９の交差位置Ｃに衝突したりすることに起因する、スリット２の意図しない開放によって、その装飾具１がスポーク９から脱落するおそれがあるときは、そのおそれを取り除くべく、スポーク装飾具１を、そこに作用する遠心力に打ち勝つに十分な係合力で、スポーク９に弾性係合、摩擦係合等させることが好ましい。
【００４４】
ところで、このようなスポーク装飾具１を、図２に示すような取付けジグ４の作用下で、スポーク９に装着するに当っては、はじめに、図５（ａ）に示すように、取付けジグ４の把持部６を手指にて把持した状態で、そのジグ４の折返し部５の先端隅部を、筒状部材３の一方の端部内へ差込むとともに、その先端隅部を筒状部材３に押付けた状態で、たとえば、筒状部材３をその円周方向に回動変位させることによって、取付けジグ４の先端隅部を、図５（ｂ）に示すようにスリット２内に入り込ませ、次いで、その取付けジグ４を、図５（ｃ）に示すように、折返し部５の先端縁が、筒状部材３の最深部の内面に線接触する姿勢として、スリット２に沿わせて筒状部材３の中央部側へ移動させることで、取付けジグ４の折返し部５を、筒状部材３の一端部でスリット２を介してそれの内側へ、全幅にわたって入れ込んだ、図５（ｄ）に示すようなセット位置とする。
【００４５】
次いで、スポーク９を、図６（ａ）に示すように、取付けジグ４の二葉の把持部６間に位置させた状態で、取付けジグ４の折返し部５を、図６（ｂ）示すように、筒状部材３と一体的にスポーク９に押圧して、その押圧部分でスポーク９を、スリット２の開放変形に基いて、筒状部材内の折返し部５の内側まで入り込ませる。
【００４６】
その後は、取付けジグ４の折返し部５を、把持部６の把持下で、筒状部材３のスリット２に沿わせて、図６（ｃ）に示すように、その筒状部材３の他端側へ移動させながら、筒状部材３に対する押圧位置を、折返し部５の移動位置に応じて変化させて、スポーク９を、筒状部材内へ、図の下方側にむけて次第に収納し、そして、その折返し部５を、筒状部材３の他端位置もしくは、その他端を超える位置、図６（ｄ）では丁度他端位置まで移動させて、筒状部材内に、それの全長にわたってスポーク９を収納する。
【００４７】
このようにして、筒所部材３へのスポーク９の収納工程を終了した後は、ジグ４の二葉の把持部６のいずれか一方を、筒状部材３の拘束下で、たとえば水平方向に引張って、取付けジグ４を、スポーク９と筒状部材３との間から抜き取ることで、一本のスポーク９に対する、装飾具１の一連の装着工程を終了する。これにより、たとえば、定形性にすぐれたプラスチック材料にて構成されて、内径をスポークの外径より小さくしてなる装飾具１は、それ自身の弾性復元力に基いて、スポーク９の周りに、遠心力に負けない大きさの係合力で弾性係合することができる。
【００４８】
そしてこれらのことを所要のスポーク９の全てについて繰返すことで、それらのスポーク９を、スポーク装飾具１に固有の色彩で装飾することができる。
この場合、装飾具１を透光性材料にて構成したときは、スポーク９は、装飾具１に固有の色彩と、そこから透けて見えるスポークそれ自身の色彩とを複合させた色彩で装飾されることになり、また、その装飾具１に光反射機能を付与したときは、夜間等にても、それに装飾機能を発揮させることができる。
【００４９】
ところで、以上のようにしてスポーク９に装着した装飾具１の、そこからの取外しは、図７に、ホイールリムを部分拡大側面図で示すように、スポーク装飾具１を、スポーク９の交差位置Ｃに向けて半径方向内方側へ押込み変位させることによって、装飾具１がスポーク９に遊嵌されている場合は、このことに加えて、装飾具１をそれの円周方向に回動変位させることによって、筒状部材３を、スポーク９の交差位置Ｃで、スリット２の開放変形に基いて、図に仮想線で例示するように、スポーク９に対していずれかの方向に逃げ変形させ、次いで、筒状部材３のその逃げ変形部分を把持して引張ることにより、スリット２の全長にわたる開放変形下で簡易に行うことができる。
【図面の簡単な説明】
【００５０】
【図１】スポーク装飾具の実施形態を誇張して示す拡大斜視図である。
【図２】取付けジグの実施形態を誇張して示す拡大斜視図である。
【図３】スポーク装飾具を適用し得る自転車を例示する側面図である。
【図４】ホイールリムの断面図および側面図である。
【図５】スポーク装飾具への取付けジグのセット工程を例示する図である。
【図６】スポーク装飾具の、スポークへの装着工程を例示する図である。
【図７】スポーク装飾具の取外し要領を示す部分拡大側面図である。
【符号の説明】
【００５１】
１  スポーク装飾具
２  スリット
３  筒状部材
４  取付けジグ
５  折返し部
６  把持部
７  自転車
８  ホイールリム
９  スポーク
１０  リム
Ｗ  幅
Ｃ  交差位置
Ｌ  長さ
【図１】
2008037336.tif 000003
【図２】
2008037336.tif 000004
【図３】
2008037336.tif 000005
【図４】
2008037336.tif 000006
【図５】
2008037336.tif 000007
【図６】
2008037336.tif 000008
【図７】
2008037336.tif 000009